(57)【特許請求の範囲】
【請求項１】
色表示画像の色調を色表示で表すカラーバーと当該色表示の段階を表すスケールとを前記色表示画像上に重ねて表示するカラースケールバーにおいて、
前記スケールを前記カラーバーの上に重ねて表示し、
前記スケールは、前記カラーバーが表す色表示の両端の色を用い、前記色表示の一方の端部に重ねて表示するスケールは、前記色表示の他方の端部の色で表示することを特徴とするカラースケールバーの表示方法。
【請求項２】
前記スケールは、対応する段階のカラーバーが表す色表示の補色で表示することを特徴とする請求項１記載のカラースケールバーの表示方法。
【請求項３】
前記スケールは、前記カラーバーが表す表示色外の色で表示することを特徴とする請求項１記載のカラースケールバーの表示方法。
【発明の詳細な説明】
【０００１】
【発明の属する技術分野】
本発明は、色表示画像の色調の意味を表すためのカラースケールバーに関する。
【０００２】
【従来の技術】
画像を色表示する場合、その色調が表す意味を示すためにカラースケールバーと呼ばれる表示を画像と共に表示することが行われている。
図５は従来のカラースケールバーの一例を示している。図５において、カラースケールバー１１は、色表示画像の色調を色表示で表すカラーバー１２と、カラーバー１２が表す色表示の段階を表すスケール１３，１４の２つの部分を備える。カラースケールバー１１は表示画像１５の上に重ねて表示し、カラーバー１２が表す色調の段階に対応するスケール１３，１４をカラーバー１２に並べて表示する。図５に示す例では、スケール１３として０をカラーバー１２の一方の端部に並べて表示し、スケール１４として１００をカラーバー１２の他方の端部に並べて表示している。
【０００３】
また、図６はカラースケールバーの他の例を示している。図６において、カラースケールバー１１は、図５の例と同様に、カラーバー１２とスケール１３，１４の２つの部分を備える。カラースケールバー１１は表示画像１５と別に設けたカラースケールバー用表示部１６に表示し、カラーバー１２が表す色調の段階に対応するスケール１３，１４をカラーバー１２に並べて表示する。
【０００４】
【発明が解決しようとする課題】
図５に示したカラースケールバーの従来例では、カラースケールバー１１は表示画像１５上に重ねて表示されているため、カラースケールバー１１の下側に表示される表示画像１５はカラースケールバー１１に隠れて見にくくなるという問題がある。また、スケールは表示画像１５を背景として表示されるため、表示される画像の色調によってはスケールと表示画像１５との識別が困難となり、表示画像とスケールのいずれも見にくくなるという問題がある。
【０００５】
図６に示したカラースケールバーの従来例では、表示画像１５と別に設けたカラースケールバー用の表示部に表示するため、前記の例のような問題点は解決されるが、表示画像１５の表示面積が制限されるという問題点がある。
【０００６】
上記したように、従来のカラースケールバーの表示方法では、表示画像及びカラースケールバーについて高い視認性を得ることが難しいという問題があり、また、カラースケールバーによって表示画像の表示面積が制限されるという問題がある。
【０００７】
そこで、本発明は前記した従来の問題点を解決し、高い視認性を得ることができ、また、表示画像の表示面積を大きくとることができるカラースケールバーの表示方法を提供することを目的とする。
【０００８】
【課題を解決するための手段】
本発明は、カラーバーに対するスケールの表示位置及び表示色によって、高い視認性及び表示画像の広い表示面積を実現する。
本発明の第１の態様は、カラーバーに対するスケールの表示位置によって目的を達成するものであり、色表示画像の色調を色表示で表すカラーバーとこの色表示の段階を表すスケールとを表示するカラースケールバーにおいて、スケールをカラーバーの上に重ねて表示する。この表示方法によって、スケールが表示画像を隠したり混同させたりすることを防ぐことができ、表示画像の高い視認性と広い表示面積を得ることができる。
【０００９】
また、本発明の第２の態様は、カラーバーに対するスケールの表示色によって目的を達成するものであり、色表示画像の色調を色表示で表すカラーバーとこの色表示の段階を表すスケールとを表示するカラースケールバーにおいて、スケールをカラーバーの上に重ねて表示すると共に、スケールを表示する表示色をカラーバーが表す色表示の両端の色を用い、カラーバーの色表示の反対側の端部の色で表示する。つまり、カラースケールバーの一方の端部に表示するスケールの表示色はカラーバーの他方の端部の色とし、カラースケールバーの他方の端部に表示するスケールの表示色は先の端部と反対側のカラーバーの端部の色とする。この表示方法によって、スケールはこのスケールが表しているカラーバーの端部と反対側となるカラーバーの端部の色で表示されることになり、スケールの高い視認性を得ることができる。
【００１０】
また、本発明の第３の態様は第２の態様と同様にカラーバーに対するスケールの表示色によって目的を達成するものであり、スケールに対応する段階のカラーバーが表す色表示の補色によってスケールを表示する。この表示方法によって、スケールはそのスケールが表しているカラーバーの色と補色関係にある色で表示されることになり、スケールの高い視認性を得ることができる。また、この第３の態様では、スケールをカラーバーと補色関係にある色で表示するため、カラーバーの端部に限らず任意の段階部分においても高い視認性でスケールを表示することができる。
【００１１】
また、本発明の第４の態様は第２，３の態様と同様にカラーバーに対するスケールの表示色によって目的を達成するものであり、スケールに対応する段階のカラーバーが表す色表示以外の色で表示する。この表示方法によって、スケールはそのスケールが表しているカラーバーの色以外の色で表示されることになり、スケールの高い視認性を得ることができる。また、この第４の態様では、スケールをカラーバーの色と異なる色で表示するため、カラーバーの端部に限らず任意の段階部分においても高い視認性でスケールを表示することができる。
【００１２】
【発明の実施の形態】
以下、本発明の実施の形態を、図を参照しながら詳細に説明する。
図１は本発明のカラースケールバーの表示方法を説明するための概略図を示し、図２，３，４は表示画像と共にカラースケールバーを表示した表示例を示している。図１は本発明の表示方法で表示されるカラースケールバー１のみを示し、図２，３，４に示すように表示画像５と共に表示することによって、表示画像を表示する色調の意味を示す。
【００１３】
図１において、カラースケールバー１は、カラーバー２とスケール３，４を備える。カラーバー２は色表示される表示画像の色調を色表示で表す。図では色表示することができないため濃淡で表示している。図示するカラーバー２では、左方端を濃く表示し右方端を淡く表示し、その中間を位置に応じて順に濃さを変化させて示しているが、実際の色表示では、カラーバー２の左方端及び右方端を所定の色で表示し、その中間を位置に応じて順に色調を変化させて示している。
【００１４】
スケール３，４はカラーバー２が表す色表示の段階を数字や文字等に符号で表すものであり、カラーバー２の上に重ねて表示する。そして、この重ねて表示する際に、スケール３，４を表示する色をカラーバー２の表示色に対応させることで識別を容易としている。スケール３は、カラーバー２の左方端の色表示（図１では濃く表示されている）の段階を「０」の数字で表し、この数字「０」を表示する色をカラーバー２の右方端の色（図１では淡く表示されている）を用いて表示する。一方、スケール４は、カラーバー２の右方端の色表示（図１では淡く表示されている）の段階を「１００」の数字で表し、この数字「１００」を表示する色をカラーバー２の左方端の色（図１では濃く表示されている）を用いて表示する。
【００１５】
スケール３，４をカラーバー２の上に重ねて表示することで、カラースケールバー１全体が占める面積を小さくすることができ、このカラーバースケール１を表示画像上に重ねて表示した場合であっても、カラースケールバー１で隠れる表示画像部分を少なくすることができる。また、スケール３，４の表示色をカラーバー２の両端部で表示される色の内でそれぞれ反対側に位置する色を用いることによって、スケールとカラーバーとの重ね表示であってもスケールを容易に認識することができる。なお、表示画像を表示する色調は任意に設定することができ、カラーバー及びスケールは設定された表示画像の色調に応じて設定される。
【００１６】
また、スケール３，４を表示する色は、前記したようにカラーバー２の両端部で表示される色の内でそれぞれ反対側に位置する色を用いる他に、カラーバー２の補色を用いたり、カラーバー２に表示されていない色を用いることができる。
【００１７】
補色を用いて表示する場合には、スケールが表示されるカラーバー２の表示色と補色関係にある色を用いてスケールを表示する。したがって、スケールの表示色は、スケールがカラーバー２上のどの色表示の段階を表示するかに応じて定まることになる。スケールをカラーバーと補色関係にある色で表示することによって、カラーバーの端部に限らず任意の段階部分においても高い視認性でスケールを表示することができる。
【００１８】
また、カラーバーに表示されていない色を用いて表示する場合には、スケールはカラーバーと異なる色で表示されることになる。スケールをカラーバーの色と異なる色で表示することによって、カラーバーの端部に限らず任意の段階部分においても高い視認性でスケールを表示することができる。
【００１９】
図２，３は、カラースケールバー１を表示画像５の上に重ねて表示した表示例であり、図２はカラースケールバー１を横表示した場合を示し、図２はカラースケールバー１を縦表示した場合を示している。
図２，３に示す何れの表示例においても、カラースケールバー１のスケール３はカラーバー２上に重ねて表示されているため、スケール３によって表示画像５が隠れたり、スケール３と表示画像が重なることによってスケールや表示画像が見にくくなるといったる問題を除くことができる。
なお、図２，３ではカラースケールバーを横方向あるいは縦方向に配向させているが、配向の方向は任意とすることができる。また、表示画像上においてカラースケールバーを表示する位置も任意とすることができる。
【００２０】
図４は、カラースケールバー１を表示画像５の外側に表示した表示例である。カラースケールバー１を表示画像５の側辺に沿って配置し表示する。この表示例のように、表示画像とカラースケールバーとを重ねて表示しない場合であっても、スケールをカラーバー上に重ねて表示することによって、カラースケールバーが占める面積を少なくして、表示画像５の表示面積を広げることができる。
【００２１】
また、本発明のカラースケールバーの表示方法によれば、表示画像を表示する色調を変更した場合であっても、カラースケールバーのカラーバーやスケールを表示する色は表示画像の表示色に応じて変更することができるため、同様の効果を得ることができる。
【００２２】
【発明の効果】
以上説明したように、本発明のカラースケールバーの表示方法によれば、高い視認性を得ることができ、また、表示画像の表示面積を大きくとることができる。
【図面の簡単な説明】
【図１】本発明のカラースケールバーの表示方法を説明するための概略図である。
【図２】本発明のカラースケールバーを画像表示と共に表示した表示例である。
【図３】本発明のカラースケールバーを画像表示と共に表示した表示例である。
【図４】本発明のカラースケールバーを画像表示と共に表示した表示例である。
【図５】従来のカラースケールバーの一例を示す表示例である。
【図６】従来のカラースケールバーの他の例を示す表示例である。
【符号の説明】
１，１１…カラースケールバー、２，１２…カラーバー、３，４，１３，１４…スケール、５，１５…表示画像、１６…カラースケールバー表示部分。
【図１】
0005044875.tif 000002
【図２】
0005044875.tif 000003
【図３】
0005044875.tif 000004
【図４】
0005044875.tif 000005
【図５】
0005044875.tif 000006
【図６】
0005044875.tif 000007